(57)【特許請求の範囲】
【請求項１】
Ｉ．Ｓ．成形機のセクションフレームの頂部壁に固着される金型開閉機構であって、当該頂部壁は開口部を有する金型開閉機構において、
頂部壁に固着されるアクチュエータハウジングと、
垂直方向に伸びる挿入組立体とを備え、該挿入組立体が、
ハウジングと、
該ハウジングに取り付けられた駆動装置であって、駆動リンク手段を支持するナットと、該ナットを変位させる手段とを備える前記駆動装置とを備え、
前記アクチュエータハウジングが、前記Ｉ．Ｓ．成形機の前記セクションフレームの前記頂部壁の前記開口部の上方にて垂直方向に伸びるハウジング開口部を画成し、これにより前記垂直方向に伸びる挿入組立体が当該ハウジング開口部を通じて頂部壁開口部内に挿入可能であり、
前記アクチュエータハウジングが垂直方向に伸びるフランジ手段を有し、
前記挿入組立体ハウジングが前記フランジ手段に係合する取り付け手段を備え、
前記取り付け手段を前記フランジ手段に固着し、これにより締結具手段を解放したとき、前記挿入組立体を前記Ｉ．Ｓ．成形機から取り外すことができるようにする締結具手段を備える、金型開閉機構。
【請求項２】
請求項１に記載の金型開閉機構において、前記ナットを変位させる手段が、
モータと、
前記ナットと作用可能に関係したねじと、
該ねじ及び前記モータを接続する継手とを備える、金型開閉機構。
【請求項３】
請求項１による金型開閉機構において、前記駆動リンク手段は、金型キャリアが分離可能に取り付けられる軸を２箇所にて支承する１対のリンクを備える、金型開閉機構。
【発明の詳細な説明】
【０００１】
【発明の属する技術分野】
本発明は、Ｉ．Ｓ．ガラス容器成形機、より具体的には、かかる成形機の金型開閉機構に関する。
【０００２】
【従来の技術】
Ｉ．Ｓ．成形機において、溶融ガラスのゴブがブランク金型内でパリソンに形成され、その形成されたパリソンは、吹込み成形ステーションに搬送され、この吹込み成形ステーションにて、パリソンは、吹込み成形金型内で吹込まれて成形した瓶となる。吹込み成形金型及びブランク金型は、米国特許第５，８３０，２５４号に開示されたような金型の開閉機構の一部分である。
【０００３】
【発明が解決しようとする課題】
この設計において、金型キャリアは、水平方向の回転可能な軸を介して１対のリンクに接続されている。これらのリンクは、駆動組立体の一部分である。軸を取り外せば、金型キャリアを駆動組立体から分離することが可能となる。次に、駆動組立体ハウジングをフレームの上面に固着するボルトを緩め且つ収容された駆動組立体と共に、ハウジングを上方に引張り、駆動組立体のモータをセクションフレームの穴を通して上方に持ち上げることにより、駆動組立体ハウジングを含む、駆動組立体の全体を取り外すことができる。この設計において、リンクのベアリングはメンテナンスを行なうことが難しかった。
【０００４】
本発明の１つの目的は、金型キャリア及び駆動組立体を容易に取り外すことができ、また、リンクベアリングのメンテナンスが容易に行ない得るＩ．Ｓ．ガラス容器成形機を提供することである。
【０００５】
本発明のその他の目的及び有利な点は、特許法の要件に従って、本発明の原理を具体化する現在の好ましい実施の形態を示す本明細書の以下の部分及び添付図面から明らかになるであろう。
【０００６】
【課題を解決するための手段】
開口部が形成されたＩ．Ｓ．成形機の頂部壁に固着される金型開閉機構において、
頂部壁に固着されるアクチュエータハウジングと、垂直方向に伸びる挿入組立体とを備え、該挿入組立体が、ハウジングと、該ハウジングに取り付けられた駆動装置であって、駆動リンクを支持するナットと、垂直方向に配置されたモータを含む、該ナットを変位させる手段とを備える前記駆動装置とを備え、前記アクチュエータハウジングが、頂部壁の開口部の上方にて垂直方向に伸びるハウジングの開口部を画成し、これにより前記垂直方向に伸びる挿入組立体がハウジング開口部を通じて頂部壁開口部内に挿入可能であり、前記アクチュエータハウジングが垂直方向に伸びるフランジ手段を有し、前記挿入組立体ハウジングが前記フランジ手段に係合する取り付け手段を備え、前記取り付け手段を前記フランジ手段に固着し、これにより前記締結具手段を解放したとき、前記挿入組立体を機械から持ち上げることができるようにする締結具手段を備える、金型開閉機構により本発明の上記の目的は実現される。
【０００７】
【発明の実施の形態】
図１には、挿入組立体１０及びアクチュエータハウジング１２が開示されている。アクチュエータハウジングは、適宜なボルト１４を介してセクションフレームの頂部壁１３に取り付けられている。頂部壁は、挿入組立体１０のモータ１６が通ることのできる穴（図示せず）を有している。図２から理解し得るように、アクチュエータハウジングは、挿入組立体ハウジング１９が適宜なボルト２０により固着される垂直方向に伸びる１対のフランジ１８（その１つを図示）を有している。ドエルピン２２は適宜な位置を確保する。モータ１６と、頂部板２９とモータカップリング２３（図５）との間を伸びるボールスクリュー２４とが挿入組立体ハウジング１９に固着されている。ボールスクリューにはナット２５が関係しており、１対の駆動リンク２７の第１の端を回動可能に支持するためのピン２６がナット２５に固着されている。モータ１６の回転によりモータカップリング２３を介して接続されたボールスクリュー２４は回転し、ナット２５はボールスクリュー２４の軸方向に移動する。図２参照。これにより、ナット２５に固着されたピン２６と、ピン２６に回動可能に支持された１対の駆動リンク２７の第１の端も、ボールスクリュー２４の軸方向に移動する。軸３０（図３）は、リンク穴３１に受け入れられる１対の円筒状の支承面３３（図６）と、支承面３３の両側部における平坦部分２８とを有している。これらの平坦部分にはねじ穴３２が画成されている。軸３０はベアリング４６（図６参照）を介して１対の駆動リンク２７の第２の端に形成された１対のリンク穴３１に受け入れられている。
【０００８】
上側及び下側挿入体３６が固着される金型キャリア３４を有する金型支持機構（図４）がこの軸３０と作用可能に関係している。金型キャリア３４は軸３０の平坦部分２８に取り付けられている。また、側部フレーム４２に取り外し可能に固着された上側固定レール４０と、下側固定レール４１（１対にて図示）の間を摺動可能に変位できる対向した１対のレール３８（可動レール）がこの金型キャリア３４に固定されている。図４に示される金型支持機構は、図３の軸３０に取り付けられる（図６参照）。図５に図示されるように、可動レール３８は上側固定レール４０及び下側固定レール４１によって動きが規制されている。モータ１６の回転によりナット２５がボールスクリュー２４の軸方向に移動するとき、ピン２６によって回動可能に支持された１対の駆動リンク２７の第１の端は、ボールスクリュー２４の軸方向に移動する。１対の駆動リンク２７の第２の端は可動レール３８によって動きが規制され、可動レール３８の摺動方向に直線状に移動する。即ち、ボルト２０（締結具手段）が開放されて挿入組立体１０が上方向に持ち上げられるとき（図２参照）、１対の駆動リンク２７の第２の端に取り付けられた軸３０は挿入組立体１０の上方への動きに関係して可動レール３８の摺動方向（水平方向）に移動し、軸３０に取り付けられた金型キャリア３４をボールスクリュー２４から離れた位置（開放可能位置）へ移動させる。対向した金型の開閉機構が完全に後退したとき、金型支持体の可動レールを引き出して固定レールから自由にし、これにより、金型キャリア３４の適宜な穴を貫通して軸３０のねじ付き穴３２内に伸びるボルト４４を取り外すことにより、金型キャリアを機械から解放することを許容し、金型支持機構の修理又は交換が可能であるよう、レールの長さが選ばれる。
【０００９】
ナット２５から離れた１対のリンク穴３１は、ベアリング４６により画成されている。このベアリングの潤滑を実現するため、潤滑油はアクチュエータハウジング１２（図５）の入口５０に供給され、この入口は、支部分５２を介して垂直導管５４に供給する。頂部の水平方向支部分５５は、側部フレーム４２の相応する支部分５６と連通しており、この支部分は、フレームの垂直導管５７と接続し、この導管は、上側固定レール４０の垂直供給穴５８と連通している。油は、この供給導管を通して可動レール３８の上面まで定期的に脈動状態にて送られる（常時、供給穴５８の下方には、可動レールの一部分がある）。小さい油リザーバを画成する可動レールの上面に切り込んだ一連の溝６０内に油が集まる。このことは、可動レールの上面を潤滑することを可能にし、また、上面の上に滴下する油が下側固定レールの上面を潤滑する。水平方向入口導管８１に接続する垂直方向入口導管８０（図６）がこのリザーバと連通している。油は、重力によりキャリア３４の傾斜した導管８２に流れ、次に、横穴８３を通って軸３０の同軸穴８４内に入り、水平方向供給導管８６、及び垂直方向出口導管８８に達する。この出口導管８８は、その長さに沿った中間にて支持ベアリングの表面と連通している。
【図面の簡単な説明】
【図１】Ｉ．Ｓ．（インディビジュアル・セクション）成形機の金型開閉機構を示す斜視図である。
【図２】挿入組立体がアクチュエータハウジングから分離された状態の、図１と同様の図である。
【図３】挿入組立体の１対の駆動リンクにより支持された軸を示す平面図である。
【図４】支持された金型キャリア組立体の分解斜視図である。
【図５】金型開閉機構及び側部フレームの斜視図である。
【図６】挿入組立体及び支持された金型キャリア組立体の一部断面斜視図である。
【符号の説明】
１０  挿入組立体                  １２  アクチュエータハウジング
１３  頂部壁                      １４  ボルト
１６  モータ                      １８  フランジ
１９  挿入組立体ハウジング        ２０  ボルト
２２  釘止めピン                  ２３  モータカップリング
２４  ボールスクリュー            ２５  ナット
２６  ピン                        ２７  駆動リンク
２８  平坦部分                    ２９  頂部板
３０  軸                          ３１  リンク穴
３２  ねじ穴                      ３３  支承面
３４  金型キャリア                ３６  下側挿入体
３８  可動レール                  ４０  上側固定レール
４１  下側固定レール              ４２  側部フレーム
４４  ボルト                      ４６  ベアリング
５０  入口                        ５２  支部分
５４  垂直導管                    ５５  頂部の水平方向支部分
５６  支部分                      ５７  垂直導管
５８  垂直供給穴                  ６０  溝
８０  垂直方向入口導管            ８１  水平方向入口導管
８２  傾斜した導管                ８３  横穴
８４  同軸穴                      ８６  水平方向供給導管
８８  垂直方向出口導管
【図１】
0004342794.tif 000002
【図２】
0004342794.tif 000003
【図３】
0004342794.tif 000004
【図４】
0004342794.tif 000005
【図５】
0004342794.tif 000006
【図６】
0004342794.tif 000007